(57)【要約】【課題】カメラに対する光学部品の装着を簡単に行うことができるカメラブラケットを提供する。【解決手段】カメラ２２が載せられるほぼ円筒状の載せ台３の外周面に主板４を固定する。載せ台３上のカメラ２２の前面の一端部及びそのカメラ２２の一方の側面を主板４に対して位置決めする第１位置決め部材７を主板４に設ける。載せ台３上のカメラ２２の前面の他端部を主板４に対して位置決めする第２位置決め部材８を主板４に設ける。【選択図】図１
2010277104.tif 000002
【特許請求の範囲】
【請求項１】
カメラの底面と対向する載せ台と、
前記載せ台上のカメラの底面に対してほぼ直角になるように前記載せ台に固定され、前記載せ台上のカメラの前面に対向する主板と、
前記主板に固定され、前記カメラに装着される光学機器を固定する装着器主環と、
前記カメラの前面の一端部及び前記カメラの一方の側面に接触して前記カメラの前面に対して直交する方向及び前記カメラの前記一方の側面に対して直交する方向の前記主板に対する前記カメラの位置決めをする第１位置決め部材と、
前記カメラの前面の他端部に接触して前記カメラの前面と直交する方向の前記主板に対する前記カメラの位置決めをする第２位置決め部材と
を備えることを特徴とするカメラブラケット。
【請求項２】
前記第１位置決め部材は、前記主板に固定された主軸部と、前記主軸部に装着され前記カメラの前面と前記カメラの前記一方の側面とを突き当てるための少なくとも２つの面が形成された突当て部材とを有することを特徴とする請求項１記載のカメラブラケット。
【請求項３】
前記第１位置決め部材は、スリットを有し、前記主板に固定された保持部材と、前記保持部材のスリットに挿入され、前記カメラの前面と前記カメラの前記一方の側面とを突き当てるための少なくとも２つの面が形成された突当て部材とを有することを特徴とする請求項１記載のカメラブラケット。
【請求項４】
前記載せ台はほぼ円筒状であり、前記カメラは前記載せ台の外周面に載置されることを特徴とする請求項１〜３のいずれか１項記載のカメラブラケット。
【請求項５】
前記主板に対してほぼ直角に配置され、前記カメラを載置するためのカメラ載置板が前記載せ台の外周面にねじ結合され、
前記載せ台と前記カメラ載置板との間に挿抜可能であって、前記載せ台の外周面に対して前記カメラ載置板上のカメラの光軸の前記カメラの底面と直交する方向の位置決めをする第３位置決め部材を備えていることを特徴とする請求項１〜４のいずれか１項記載のカメラブラケット。
【発明の詳細な説明】
【技術分野】
【０００１】
この発明は、カメラに例えば望遠鏡等を装着するときに用いられるカメラブラケットに関する。
【背景技術】
【０００２】
従来、この種のカメラブラケットとして、メインフレームと、このメインフレームの中央部に取り付けられたレンズ取付台座と、メインフレームの後端部の下面に取り付けられたＬ字形の三脚座と、この三脚座の垂直部に可動調整機構を介して取り付けられたカメラ受け台座とを備えているものが知られている（下記特許文献参照）。
【０００３】
このカメラブラケットを用いて、レンズ取付台座に取り付けられた望遠鏡の光軸とカメラ側の光軸とを合わせるには、可動調整機構の２つの送りねじを操作して、カメラ受け台座を上下左右に移動させ、カメラ受け台座の位置決めをする必要があった。更に、レンズ取付台座をメインフレーム上で光軸方向へスライドさせて、望遠鏡に対するカメラの光軸方向の位置決めをする必要があった。
【特許文献１】特開平６−１６０９５７号公報（段落００１２〜００１６参照）
【発明の開示】
【発明が解決しようとする課題】
【０００４】
望遠鏡に対するカメラの位置決めを行うには、上述のように、送りねじを操作したり、レンズ取付台座をスライドさせたりする必要があり、煩雑な作業を強いられるという問題があった。
【０００５】
この発明はこのような事情に鑑みてなされたもので、その課題は望遠鏡等に対するカメラの装着を簡単に行うことができるカメラブラケットを提供することである。
【課題を解決するための手段】
【０００６】
前述の課題を解決するためこの発明のカメラブラケットは、カメラの底面と対向する載せ台と、前記載せ台上のカメラの底面に対してほぼ直角になるように前記載せ台に固定され、前記載せ台上のカメラの前面に対向する主板と、前記主板に固定され、前記カメラに装着される光学機器を固定する装着器主環と、前記カメラの前面の一端部及び前記カメラの一方の側面に接触して前記カメラの前面に対して直交する方向及び前記カメラの前記一方の側面に対して直交する方向の前記主板に対する前記カメラの位置決めをする第１位置決め部材と、前記カメラの前面の他端部に接触して前記カメラの前面と直交する方向の前記主板に対する前記カメラの位置決めをする第２位置決め部材とを備えることを特徴とする。
【発明の効果】
【０００７】
この発明によれば、望遠鏡等に対するカメラの装着を簡単に行うことができる。
【発明を実施するための最良の形態】
【０００８】
以下、この発明の実施の形態を図面に基づいて説明する。
【０００９】
図１はこの発明の第１実施形態に係るカメラブラケットを示し、同図（ａ）は正面図、同図（ｂ）は同図（ａ）のＡ−Ａ線に沿う断面図、同図（ｃ）は側面図、図２は図１に示すカメラブラケットの第１位置決め部材の切換え軸の断面図、図３は図１に示すカメラブラケットの第１位置決め部材の切換え駒を示し、同図（ａ）は正面図、同図（ｂ）は同図（ａ）のＢ−Ｂ線に沿う断面図、同図（ｃ）は同図（ａ）のＣ−Ｃ線に沿う断面図である。
【００１０】
図１に示すように、カメラブラケット１は載せ台３と主板４と装着器主環５とカメラ載置板６と第１位置決め部材７と第２位置決め部材８とを備える。
【００１１】
載せ台３は２つの大径部３１，３２を有する円筒と１つの小径部３３を有する円筒とを有する。小径部３３は大径部３１と大径部３２とを結合する。大径部３１にはその径方向へ延びるねじ通し穴３１ａが形成されている。ねじ通し穴３１ａには固定ねじ３４が挿入されている。
【００１２】
主板４の左側の部分（図１（ａ）において主板４の左側部分）はリング状部４１であり、主板４の右側の部分（図１（ａ）において主板４の右側部分）は平板部４２である。
【００１３】
主板４は間隔調整環４３を介して座金４４を装着した飾りボルト４５で載せ台３に固定されている。
【００１４】
装着器主環５は３つの止めねじ５１によって主板４のリング状部４１に固定されている。装着器主環５にはその径方向へ延びるねじ通し穴５２が形成されている。ねじ通し穴５２には固定ねじ５３が挿入されている。固定ねじ５３にはＥリング５４が装着されている。
【００１５】
装着器主環５には、後述する光学機器、例えば望遠鏡（図１（ｃ）には望遠鏡の接眼部２１だけが示されている。）が固定ねじ５３によって固定される。
【００１６】
カメラ載置板６はほぼ矩形であり、その一端部には鳩目状のボス６１が取り付けられている。ボス６１にはねじ穴６１ａが形成されている。ボス６１は載せ台３のねじ通し穴３１ａに挿入される。カメラ載置板６の中央部には長孔６２が形成されている。長孔６２にはカメラ固定ねじ６３が通されている。カメラ固定ねじ６３には抜止め用円板６４が装着されている。カメラ載置板６の両端部には凸部６５が形成されている。カメラ載置板６はデジタルカメラ（カメラ）２２の底板（図示せず）より撓みやすい。カメラ固定ねじ６３はカメラ載置板６上に配置されたデジタルカメラ２２の三脚取付け用ねじ穴（図示せず）にねじ込まれる。その結果、カメラ載置板６上にデジタルカメラ２２が固定される。このとき、カメラ載置板６の中央部はデジタルカメラ２２の方へ撓むので、カメラ載置板６が元の状態に戻ろうとする弾性力によって凸部６５がデジタルカメラ２２の底板に強く押し付けられる。デジタルカメラ２２はカメラ載置板６に強固に固定される。
【００１７】
主板４の左端（図１（ａ）において主板４の左端）には第１位置決め部材７が配置され、主板４の右端（図１（ａ）において主板４の右端）には第２位置決め部材８が配置されている。
【００１８】
第１位置決め部材７は、図２、３に示すように、切換え軸７１と切換え駒（突当て部材）７２とで構成されている。
【００１９】
切換え軸７１は主軸部７１ａとフランジ部７１ｂとを有する。主軸部７１ａには中心孔７１ｃが形成されている。中心孔７１ｃのフランジ部７１ｂ側部分にはねじ穴７１ｄが形成されている。また、主軸部７１ａの外周面には環状突起７１ｅが形成されている。フランジ部７１ｂは主軸部７１ａの一端部に結合されている。フランジ部７１ｂにはねじ穴７１ｆが形成されている。切換え軸７１は、主板４を貫通してねじ穴７１ｄにねじ込まれる固定ねじ７３（図１参照）によって主板４に固定されている。フランジ部７１ｂのねじ穴７１ｆには主板４を貫通した固定ねじ７４（図１参照）がねじ込まれる。その結果、切換え軸７１の回転が阻止される。固定ねじ７４の先端部はねじ穴７１ｆから突出する。
【００２０】
切換え駒７２は角柱状部７２ａと座部７２ｂとを有する。角柱状部７２ａは４つの面７２ｄ−１〜７２ｄ−４を有する。各面７２ｄ−１〜７２ｄ−４には、突当て面７２ｅ−１〜７２ｅ−４と突当て面７２ｆ−１〜７２ｆ−４とが形成されている。突当て面７２ｅ−１〜７２ｅ−４はそれぞれ第１〜第４のデジタルカメラの前面（カメラのレンズ側の面）に接触する。突当て面７２ｆ−１〜７２ｆ−４はそれぞれ第１〜第４のデジタルカメラの側面（カメラのファインダ側から見て向かって左側の端面）に接触する。なお、第１〜第４のデジタルカメラの撮像部（図示せず）の高さは一致している。また、角柱状部７２ａには切換え軸７１の主軸部７１ａを環状突起７１ｅごと収容可能な中心孔７２ｃが形成されている。座部７２ｂは角柱状部７２ａの一端部に結合されている。座部７２ｂには４つの穴７２ｇが形成されている。切換え駒７２は合成ゴム等の弾性材料で形成されている。したがって、切換え駒７２の中心孔７２ｃの開口端を押し広げることによって、切換え駒７２を切換え軸７１の主軸部７１ａに装着することができる。その結果、切換え駒７２は切換え軸７１の主軸部７１ａを回転軸として回転可能である。切換え駒７２が回転するとき、中心孔７２ｃの段差面７２ｈが環状突起７１ｅに係合するので、切換え駒７２の切換え軸７１からの脱落が防止されている。固定ねじ７４の先端部を４つの孔７２ｇのうちのいずれか一つに挿入することにより、４つの面７２ｄ−１〜７２ｄ−４のうちのいずれかがデジタルカメラ２２の側面に対向した状態で切換え駒７２は固定される。このように、カメラ載置板６上に配置されたデジタルカメラ２２の種類に応じて４つの面７２ｄ−１〜７２ｄ−４の配置を変えることによって、主板４に対する複数の種類のデジタルカメラ２２の位置決めを行なうことができる。
【００２１】
図１に示すように、第２位置決め部材８はレリーズ板９を介在させて固定ねじ８３により主板４に固定されている。第２位置決め部材８は主板４からの高さが異なる突当て面８１，８２を有する。突当て面８１は例えば第１、第２のデジタルカメラの前面に接触し、主板４に対して第１、第２のデジタルカメラの前面が位置決めされる。突当て面８２は例えば第３、第４のデジタルカメラの前面に接触し、主板４に対して第３、第４のデジタルカメラの前面が位置決めされる。このように、第２位置決め部材８は、主板４に対して複数の種類のデジタルカメラ２２の位置決めを行なうことができるように、複数の突当て面８１，８２を有している。
【００２２】
レリーズ板９はデジタルカメラ２２のシャッターボタン（図示せず）に対向する対向片９１を有する。
【００２３】
対向片９１にはレリーズ座１１が取り付けられている。レリーズ座１１はケーブルレリーズ（図示せず）を保持する。レリーズ座１１には摺動部材１２がシャッターボタン押圧方向へ摺動可能に取り付けられている。
【００２４】
このカメラブラケット１にデジタルカメラ２２を取り付けるには、予め、切換え駒７２のデジタルカメラ２２に対応する面７２ｄ−１（仮に面７２ｄ−１がデジタルカメラ２２に対応するものとする）がデジタルカメラ２２の左側面（カメラをファインダ側から見て向かって左側の面）に対向するように設定しておく。
【００２５】
次に、カメラ載置板６のボス６１を載せ台３の大径部３１の貫通孔３１ａに挿入し、更に、固定ねじ３４をねじ通し穴３１ａに挿入し、固定ねじ３４をボス６１のねじ穴６１ａにねじ込む。その結果、カメラ載置板６が載せ台３上に固定される。
【００２６】
その後、デジタルカメラ２２の前面の一端部を切換え駒７２の面７２ｄ−１に形成された突当て面７２ｅ−１に突き当て、デジタルカメラ２２の一方の側面を面７２ｄ−１に形成された突当て面７２ｆ−１に突き当てる。
【００２７】
これとほぼ同時に、デジタルカメラ２２の前面の他端部を第２位置決め部材８の突当て面８１に突き当てる。
【００２８】
以上のようにして、デジタルカメラ２２は主板４に位置決めされる。この状態でカメラ載置板６に取り付けられたカメラ固定ねじ６３をデジタルカメラ２２の三脚取付け用ねじ穴にねじ込む。
【００２９】
次に、固定ねじ５３により、装着器主環５を望遠鏡２１に固定する。望遠鏡２１の接眼レンズは装着器主環５によって主板４に対して正確に位置決めされる。したがって、望遠鏡２１の接眼レンズの光軸とデジタルカメラ２２の光軸とが一致する。
【００３０】
以上のように、この実施形態によれば、デジタルカメラ２２の主板４に対する位置決めを容易に行うことができる。
【００３１】
また、デジタルカメラ２２をカメラ固定ねじ６３でカメラ載置板６に固定し、更にカメラ載置板６を固定ねじ３４で載せ台４に固定するようにしたので、デジタルカメラ２２に外力が加わっても、荷重がカメラ固定ねじ６３と固定ねじ３４とに分散する。その結果、デジタルカメラ２２の底板の変形を抑制できる。
【００３２】
更に、カメラ載置板６をデジタルカメラ２２の底板よりも撓みやすくしたので、カメラ固定ねじ６３をデジタルカメラ２２の三脚取付け用ねじ穴にねじ込むと、カメラ載置板６が撓み、その弾性力によってカメラ載置板６の凸部６５がデジタルカメラ２２の底板に圧接する。その結果、カメラ載置板６にデジタルカメラ２２を強固に固定することができる。
【００３３】
また、一般的にカメラ底板には、複数の突起が設けられており、カメラをカメラ底板に置いた際にカメラ底板との間に隙間が生じるように設計されている。これを利用し、カメラ載置板６とカメラ底板との間に隙間を形成すれば、カメラ載置板６が平面状であっても撓み効果による底板の変形を防止できる。
【００３４】
また、レリーズ板９にレリーズ座１１と摺動部材１２とを設け、摺動部材１２によってシャッターボタンを押圧するようにしたので、シャッターボタンが傷付くのを防止できる。
【００３５】
図４はこの発明の第２実施形態に係るカメラブラケットを示し、同図（ａ）は正面図、同図（ｂ）は同図（ａ）のＤ−Ｄ線に沿う断面図、同図（ｃ）は側面図、図５は図４に示すカメラブラケットの第１位置決め部材の切換え軸を示し、同図（ａ）は正面図、同図（ｂ）は同図（ａ）のＥ−Ｅ線に沿う断面図、図６は図４に示すカメラブラケットの第１位置決め部材の切換え駒を示し、同図（ａ）は正面図、同図（ｂ）は同図（ａ）のＦ−Ｆ線に沿う断面図、図７は図４に示すカメラブラケットの第１位置決め部材のプレートを示し、同図（ａ）は第１プレートの側面図、同図（ｂ）は第２プレートの側面図、同図（ｃ）は第３プレートの側面図、同図（ｄ）は第４プレートの側面図である。
【００３６】
第１実施形態と共通する部分については同一符号を付してその説明を省略する。以下、主な相違部分についてだけ説明する。
【００３７】
第２実施形態は、第１位置決め部材２０７の構造が異なる点で、第１実施形態と相違する。
【００３８】
図４〜６に示すように、第２実施形態の第１位置決め部材２０７は切換え軸２７１と切換え駒（保持部材）２７２と第１〜４プレート（突当て部材）２７３−１〜２７３−４とで構成されている。
【００３９】
切換え軸２７１は主軸部２７１ａとフランジ部２７１ｂとを有する。主軸部２７１ａにはねじ穴２７１ｄが形成されている。また、主軸部２７１ａの外周面にはローレット２７１ｅが形成されている。フランジ部２７１ｂは主軸部２７１ａの一端部に結合されている。フランジ状部２７１ｂにはねじ穴２７１ｆが形成されている。切換え軸２７１は、主板４を貫通してねじ穴２７１ｄにねじ込まれる固定ねじ７３によって主板４に固定されている。フランジ部２７１ｂのねじ穴２７１ｆには主板４を貫通した固定ねじ７４がねじ込まれる。その結果、切換え軸２７１の回転が阻止される。固定ねじ７４の先端部はねじ穴２７１ｆから突出する。
【００４０】
切換え駒２７２は円柱状部２７２ａと座部２７２ｂとを有する。円柱状部２７２ａは４つのスリット２７２ｄ−１〜２７２ｄ−４を有する。また、円柱状部２７２ａには切換え軸２７１の主軸部２７１ａを収容可能な中心孔２７２ｃが形成されている。中心孔２７２ｃの一端部にはローレット溝２７２ｉが形成されている。座部２７２ｂは円柱状部２７２ａの一端部に結合されている。座部２７２ｂには孔２７２ｇが形成されている。
【００４１】
プレート２７３−１〜２７３−４にはそれぞれ突当て面（面）２７３ａ−１〜２７３ａ−４と突当て面（面）２７３ｂ−１〜２７３ｂ−４とが形成されている。突当て面２７３ａ−１〜２７３ａ−４はそれぞれ第１〜第４のデジタルデジタルカメラの前面に接触する。突当て面２７３ｂ−１〜２７３ｂ−４はそれぞれ第１〜第４のデジタルカメラの側面に接触する。切換え駒２７２のローレット溝２７２ｉは切換え軸２７１のローレット２７１ｅを受け容れる。したがって、切換え駒２７２は切換え軸２７１を回転軸として回転できない。その代わりに、切換え駒２７２のスリット２７２ｄ−１〜２７２ｄ−４には、それぞれ任意のプレート２７３−１〜２７３−４を挿入することができ、カメラの種類に対応した調整が可能である。このように、カメラ載置板６上に配置されたデジタルカメラ２２の種類に応じて４つのプレート２７３−１〜２７３−４の配置を変えることによって、主板４に対する複数の種類のデジタルカメラ２２の位置決めを行なうことができる。
【００４２】
第２実施形態によれば、第１実施形態と同様の効果を得ることができる。
【００４３】
図８はこの発明の第３実施形態に係るカメラブラケットを示し、同図（ａ）は正面図、同図（ｂ）は同図（ａ）のＧ−Ｇ線に沿う断面図、同図（ｃ）は同図（ａ）のＨ−Ｈ線に沿う断面図、図９は図８に示すカメラブラケットの第３位置決め部材を示し、同図（ａ）はカメラ載置板を最も高くした状態の第３位置決め部材の斜視図、同図（ｂ）は同図（ａ）と同じ状態でカメラ載置板を省略した状態の第３位置決め部材の斜視図、同図（ｃ）はカメラ載置板を少し低くした状態の第３位置決め部材の斜視図、同図（ｄ）はカメラ載置板を最も低くした状態の第３位置決め部材の斜視図、同図（ｅ）は同図（ａ）のＩ−Ｉ線に沿う断面図、同図（ｆ）は同図（ｃ）のＪ−Ｊ線に沿う断面図、同図（ｇ）は同図（ｄ）のＫ−Ｋ線に沿う断面図である。
【００４４】
第３実施形態のカメラブラケット３０１は第３位置決め部材１５を備えている。
【００４５】
第３位置決め部材１５は下段高さ調整板１５１と上段高さ調整板１５２とで構成されており、カメラブラケット３０１のリング状部４１の開口に対するカメラレンズの高さ方向の位置調整が可能となっている。
【００４６】
下段高さ調整板１５１は装着部１５１ａ，１５１ｂと結合部１５１ｃとスペーサ部１５１ｄ，１５１ｅとを有する。装着部１５１ａ，１５１ｂは載せ台３の小径部３３に回転可能に装着されている。結合部１５１ｃは装着部１５１ａ，１５１ｂ同士を結合する。スペーサ部１５１ｄは大径部３１の外周面に対向するとともに、装着部１５１ａに結合され、装着部１５１ａとともに回転する。スペーサ部１５１ｄには固定ねじ３４との接触を避けるための切欠１５１ｆが形成されている。スペーサ部１５１ｅは大径部３２の外周面に対向するとともに、装着部１５１ｂに結合され、装着部１５１ｂとともに回転する。
【００４７】
上段高さ調整板１５２は装着部１５２ａ，１５２ｂと結合部１５２ｃとスペーサ部１５２ｄ，１５２ｅとを有する。装着部１５２ａ，１５２ｂは載せ台３の小径部３３に回転可能に装着されている。結合部１５２ｃは装着部１５２ａ，１５２ｂ同士を結合する。スペーサ部１５２ｄは大径部３１の外周面に対向するとともに、装着部１５２ａに結合され、装着部１５２ａとともに回転する。また、スペーサ部１５２ｄはスペーサ部１５１ｄに重なる。スペーサ部１５２ｄには固定ねじ３４との接触を避けるための切欠１５２ｆが形成されている。スペーサ部１５２ｅは大径部３２の外周面に対向するとともに、装着部１５２ｂに結合され、装着部１５２ｂとともに回転する。また、スペーサ部１５２ｅはスペーサ部１５１ｅに重なる。
【００４８】
デジタルカメラ２２の位置を最も高くしたい場合、下段高さ調整板１５１及び上段高さ調整板１５２を回転させ、図９（ａ），（ｂ），（ｅ）に示すように、大径部３１，３２とカメラ載置板６との間に、スペーサ部１５１ｄ，１５１ｅ、１５２ｄ，１５２ｅを介在させる。
【００４９】
デジタルカメラ２２の位置を少し低くしたい場合、下段高さ調整板１５１を回転させ、図９（ｃ），（ｆ）に示すように、大径部３１，３２とカメラ載置板６との間に、スペーサ部１５１ｄ，１５１ｅを介在させる。
【００５０】
デジタルカメラ２２の位置を最も低くしたい場合、図９（ｄ），（ｇ）に示すように、スペーサ部１５１ｄ，１５１ｅ、１５２ｄ，１５２ｅをカメラ載置板６から離し、カメラ載置板６を直接大径部３１，３２上に固定する。
【００５１】
第３実施形態によれば、第１実施形態と同様の効果を得ることができるとともに、カメラブラケットに対するデジタルカメラの高さ方向の位置決めを行うことができ、レンズ位置の高さが異なる各種のデジタルカメラに対応できる。
【００５２】
なお、上述の実施形態では、カメラ載置板６を用いて、デジタルカメラ２２を載せ台３に固定するようにしたが、デジタルカメラ２２を直接載せ台３に固定するようにしてもよい。
【図面の簡単な説明】
【００５３】
【図１】図１はこの発明の第１実施形態に係るカメラブラケットを示す図である。
【図２】図２は図１に示すカメラブラケットの第１位置決め部材の切換え軸の断面図である。
【図３】図３は図１に示すカメラブラケットの第１位置決め部材の切換え駒を示す図である。
【図４】図４はこの発明の第２実施形態に係るカメラブラケットを示す図である。
【図５】図５は図４に示すカメラブラケットの第１位置決め部材の切換え軸を示す図である。
【図６】図６は図４に示すカメラブラケットの第１位置決め部材の切換え駒を示す図である。
【図７】図７は図４に示すカメラブラケットの第１位置決め部材のプレートを示す図である。
【図８】図８はこの発明の第３実施形態に係るカメラブラケットを示す図である。
【図９】図９は図８に示すカメラブラケットの第３位置決め部材を示す図である。
【符号の説明】
【００５４】
１：カメラブラケット、３：載せ台、４：主板、５：装着器主環、６：カメラ載置板、７：第１位置決め部材、７１ａ：主軸、７２：切換え駒（突当て部材）、７２ｄ−１〜７２ｄ−４：面、７２ｅ−１〜７２ｅ−４：突当て面、７２ｆ−１〜７２ｆ−４：突当て面、８：第２位置決め部材、２１：接眼部（光学機器）、２２：デジタルカメラ（カメラ）、２０７：第１位置決め部材、２７２：切換え駒（保持部材）、２７２ｄ−１〜２７２ｄ−４：スリット、２７３−１〜２７３−４：プレート（突当て部材）、２７３ａ−１〜２７３ａ−４：突当て面（面）、２７３ｂ−１〜２７３ｂ−４：突当て面（面）、１５：第３位置決め部材。
【図１】
2010277104.tif 000003
【図２】
2010277104.tif 000004
【図３】
2010277104.tif 000005
【図４】
2010277104.tif 000006
【図５】
2010277104.tif 000007
【図６】
2010277104.tif 000008
【図７】
2010277104.tif 000009
【図８】
2010277104.tif 000010
【図９】
2010277104.tif 000011